(57)【要約】【課題】ヘッドユニットの変形を抑えて、液体噴射ヘッドの液体の吐出不良を未然に防止する液体噴射ヘッド及び液体噴射装置を提供すること。【解決手段】液体を吐出するノズル開口を有するノズル形成部３２４と、前記液体を前記ノズル開口から吐出させるためのアクチュエータ部３２１と、を有するヘッドユニット３２０と、前記ヘッドユニットを直接、接着するためのユニット接着部３１５等を有するケースヘッド３１０と、前記ヘッドユニットと前記ケースヘッドとの間に配置され、前記アクチュエータ部に接続されるフレキシブル基板３３０と、を有し、前記ケースヘッドに、前記ユニット接着部３１５等の偏在を調整する接着補強部３１９ａが設けられると共に、前記フレキシブル基板には、前記接着補強部の位置に対応する貫通部３３１が形成されている液体噴射ヘッド３００。【選択図】図５
2005074840.tif 000002
【特許請求の範囲】
【請求項１】
液体を吐出するノズル開口を有するノズル形成部と、
前記液体を前記ノズル開口から吐出させるためのアクチュエータ部と、を有するヘッドユニットと、
前記ヘッドユニットを直接、接着するためのユニット接着部を有するケースヘッドと、
前記ヘッドユニットと前記ケースヘッドとの間に配置され、前記アクチュエータ部に接続されるフレキシブル基板と、を有する液体噴射ヘッドであって、
前記ケースヘッドに、前記ユニット接着部の偏在を調整する接着補強部が設けられると共に、前記フレキシブル基板には、前記接着補強部の位置に対応する貫通部が形成されていることを特徴とする液体噴射ヘッド。
【請求項２】
前記貫通部が、前記フレキシブル基板の配線の非配置領域に形成されると共に、略Ｖ字状又は略Ｕ字状であることを特徴とする請求項１に記載の液体噴射ヘッド。
【請求項３】
前記接着補強部が、前記ユニット接着部と一体に形成されていると共に、前記フレキシブル基板の配線の非配置領域に向かって突出するように形成されていることを特徴とする請求項１又は請求項２に記載の液体噴射ヘッド。
【請求項４】
液体を吐出するノズル開口を有するノズル形成部と、
前記液体を前記ノズル開口から吐出させるアクチュエータ部と、を有するヘッドユニットと、
前記ヘッドユニットを直接、接着するためのユニット接着部を有するケースヘッドと、
前記ヘッドユニットと前記ケースヘッドとの間に配置され、前記アクチュエータ部に接続されるフレキシブル基板と、を有する液体噴射ヘッドと、
前記液体噴射ヘッドのクリーニングを行うクリーニング手段と、を有する液体噴射装置であって、
前記液体噴射ヘッドの前記ケースヘッドに、前記ユニット接着部の偏在を調整する接着補強部が設けられると共に、前記フレキシブル基板には、前記接着補強部の位置に対応する貫通部が形成されていることを特徴とする液体噴射装置。
【発明の詳細な説明】
【技術分野】
【０００１】
本発明は、液体を吐出する液体噴射ヘッド及び液体噴射装置に関するものである。
【背景技術】
【０００２】
従来より、液体噴射装置である例えば、インクジェット式記録装置には、インクを吐出するための液体噴射装置である例えば、インクジェット式記録ヘッドが設けられている（例えば、特許文献１参照）。
図８は、このようなインクジェット式記録ヘッド１０の要部を示す概略斜視図である。
図８に示すように、インクジェット式記録ヘッド１０は、その上部に液体であるインクを収容するインクカートリッジを装着するケースヘッド１１を有している。
そして、ケースヘッド１１の下部には、フレキシブル基板を介してヘッドチップユニット１２とカバーヘッド１４とが配置されている。
【０００３】
図９は、フレキシブル基板１３、ヘッドユニット１２及びカバーヘッド１４を示す概略斜視図である。図９に示すようにヘッドユニット１２はフレキシブル基板１３を挟むようにしてケースヘッド１１に配置される構成となっている。
ヘッドユニット１２は、図において底部にインクを吐出するノズルプレートを有すると共に、フレキシブル基板１３側には、ノズルからインクを押し出すための圧電振動板であるアクチュエータが形成されている。
すなわち、フレキシブル基板１３から電力の供給を受けて、アクチュエータがたわみ振動することで、ノズルからインクを吐出する構成となっている。
このように構成されるヘッドユニット１２は、電力の供給を受けるフレキシブル基板１３を挟むようにして、ケースヘッド１１に接着される。
この接着はフレキシブル基板１３を回避するように行う必要があるため、具体的には図９のヘッドユニット１２の表面の外周部分１２ａや、フレキシブル基板１３に穴が形成されている部分に対応する穴対応部１２ｂを、図８のケースヘッド１１に接着して行われていた。
【０００４】
このようにケースヘッド１１に接着されたヘッドユニット１２のノズルプレート側（図において下側）には、図９のカバーヘッド１４が配置される構成となっている。
このように構成されるインクジェット式記録ヘッド１０は、液体噴射装置である例えば、プリンタ装置に装着され、インクを吐出することで記録用紙に印字等を行うこととなる。
印字等が終了した後、インクが吐出するノズル開口をそのままの状態で放置するとインクの乾燥等が生じ、再びインクを吐出する際に不良等が生じるおそれがある。
そのため、プリンタ装置には、インクジェット式記録ヘッド１０のクリーニング手段であるキャップ部や吸引部が配置されている。
【０００５】
すなわち、インクの吐出を終了したインクジェット式記録ヘッド１０のノズルプレートに当接して、ノズルを覆うように配置されるキャップ部と、キャップ部とノズルプレートにより形成された閉空間を吸引し、ノズルから不必要なインクを排出させる吸引手段が備えられている。
このようにクリーニング手段でノズル内の不必要なインクを吸引することにより、ノズルを良好な状態に保持できる構成となっている。
【特許文献１】特開平１１−３００９５６号公報（図１等）
【発明の開示】
【発明が解決しようとする課題】
【０００６】
図１０は、図９のヘッドユニット１２とフレキシブル基板１３の配置状態の概略平面図である。また、図１１は、図１０のヘッドユニット１２に、クリーニング手段１５であるキャップ部１５ａを配置した状態における図１０のＡ−Ａ’線概略断面図である。
図１０に示すように、ケースヘッド１１との接着領域である外周部分１２ａや穴対応部１２ｂは、図１０のヘッドユニット１２の下方部分や周辺部分に偏っている。
この状態で、図１１に示すように、キャップ部１５ａをヘッドユニット１２のノズルプレート側に当接させ空間Ｓを形成し、矢印で示すように吸引ポンプで吸引すると、ヘッドユニット１２は、接着されているケースヘッド１１から離間する方向（図の矢印方向）に引っ張られる。
このとき、ヘッドユニット１２のうち、ケースヘッド１１と接着していない部分は、特に引っ張られ、図１１の破線で示すように、たわむおそれがある。
具体的には、図１０のヘッドユニット１２の中央から上部にかけての部分がたわむおそれがある。
このように、ヘッドユニット１２がたわんで変形等すると、ケースヘッド１１からヘッドユニット１２へインクを供給するインク供給口等が剥離等して、インクジェット式記録ヘッド１０にインクの吐出不良等が生じるという問題があった。
【０００７】
そこで、本発明は、ヘッドユニットの変形を抑えて、液体噴射ヘッドの液体の吐出不良を未然に防止する液体噴射ヘッド及び液体噴射装置を提供することを目的とする。
【課題を解決するための手段】
【０００８】
前記目的は、第１の発明によれば、液体を吐出するノズル開口を有するノズル形成部と、前記液体を前記ノズル開口から吐出させるためのアクチュエータ部と、を有するヘッドユニットと、前記ヘッドユニットを直接、接着するためのユニット接着部を有するケースヘッドと、前記ヘッドユニットと前記ケースヘッドとの間に配置され、前記アクチュエータ部に接続されるフレキシブル基板と、を有する液体噴射ヘッドであって、前記ケースヘッドに、前記ユニット接着部の偏在を調整する接着補強部が設けられると共に、前記フレキシブル基板には、前記接着補強部の位置に対応する貫通部が形成されていることを特徴とする液体噴射ヘッドに達成される。
【０００９】
前記第１の発明の構成によれば、前記ケースヘッドに、前記ユニット接着部の偏在を調整する接着補強部が設けられている。
前記液体噴射ヘッドは、例えば液体噴射装置に設置されると、例えば印字等領域に配置され、記録用紙等に対する印字等を行う。また、この印字等が終了すると、前記液体噴射ヘッドの前記ノズル開口をクリーニングするために、非印字等領域に移動する。
この非印字等領域には、キャップ部材や吸引手段等のクリーニング手段が配置され、前記キャップ部材は前記ノズル形成部に当接し、前記吸引手段が吸引を行うことにより、前記ノズル開口のクリーニングを行う。
そして、前記吸引手段による吸引の際、前記ノズル形成部を有する前記ヘッドユニットには、吸引力により、接着されている前記ケースヘッドから離間する方向に応力が加わり、このヘッドユニットは変形しようとする。
【００１０】
しかし、前記ヘッドユニットは、前記ユニット接着部及び前記接着補強部等により前記ケースヘッドと接着され、特に前記接着補強部により、接着位置の位置的偏在が解消されているので、部分的に前記応力が強く働き難い構成となっている。
このため、たとえ前記ヘッドユニットの前記ノズル開口形成部側が前記吸引手段で吸引されても前記ヘッドユニットの変形は抑えることができる。
したがって、このヘッドユニットの変形による前記ヘッドケースの例えば、液体供給口等と前記ヘッドユニットとの剥がれを防止することができる。
また、このヘッドユニットの変形による液体の吐出特性の不良の発生を未然に防ぐことができる。
なお、前記構成によれば、前記フレキシブル基板には、前記接着補強部の位置に対応する貫通部が形成されている。
このため、前記ヘッドケースに前記接着補強部を設けても、このヘッドケースと前記ヘッドユニットとの間に配置される前記フレキシブル基板が邪魔になることがない。
【００１１】
前記第２の発明によれば、前記第１の発明の構成において、前記貫通部が、前記フレキシブル基板の配線の非配置領域に形成されると共に、略Ｖ字状又は略Ｕ字状であることを特徴とする液体噴射ヘッドである。
【００１２】
前記第２の構成によれば、前記貫通部は、前記フレキシブル基板の配線の非配置領域に形成されるので、前記貫通部を形成しても前記フレキシブル基板の配線の配置を妨げることがない。このため、特別なフレキシブル基板を準備する必要がなく、液体噴射ヘッドの製造コストの増大を招くことがない。
また、前記構成によれば、前記貫通部を略Ｖ字状又は略Ｕ字状とすることで、前記フレキシブル基板の配線を回避して前記貫通部を形成し易くなる。
【００１３】
前記第３の発明の構成によれば、前記第１の発明の構成又は前記第２の発明の構成において、前記接着補強部が、前記ユニット接着部と一体に形成されていると共に、前記フレキシブル基板の配線の非配置領域に向かって突出するように形成されていることを特徴とする液体噴射ヘッドである。
【００１４】
前記第３の発明の構成によれば、前記接着補強部が、前記ユニット接着部と一体に形成されていると共に、前記フレキシブル基板の配線の非配置領域に向かって突出するように形成されている。
このため、前記ユニット接着部の近傍の前記フレキシブル基板の配線の非配置領域を有効に利用して前記接着補強部を形成することができる。
【００１５】
前記目的は、第４の発明によれば、液体を吐出するノズル開口を有するノズル形成部と、前記液体を前記ノズル開口から吐出させるアクチュエータ部と、を有するヘッドユニットと、前記ヘッドユニットを直接、接着するためのユニット接着部を有するケースヘッドと、前記ヘッドユニットと前記ケースヘッドとの間に配置され、前記アクチュエータ部に接続されるフレキシブル基板と、を有する液体噴射ヘッドと、前記液体噴射ヘッドのクリーニングを行うクリーニング手段と、を有する液体噴射装置であって、前記液体噴射ヘッドの前記ケースヘッドに、前記ユニット接着部の偏在を調整する接着補強部が設けられると共に、前記フレキシブル基板には、前記接着補強部の位置に対応する貫通部が形成されていることを特徴とする液体噴射装置により達成される。
【００１６】
前記第４の発明の構成によれば、前記第１の発明と同様に、前記液体噴射ヘッドの前記ケースヘッドに、前記ユニット接着部の偏在を調整する接着補強部が設けられている。このため、たとえ前記ヘッドユニットの前記ノズル開口形成部側が前記吸引手段で吸引されても前記ヘッドユニットは抑えることができる。
したがって、このヘッドユニットの変形による前記ヘッドケースの例えば、液体供給口等と前記ヘッドユニットとの剥がれを防止することができる。
また、このヘッドユニットの変形による液体の吐出特性の不良の発生を未然に防ぐことができる。
なお、前記フレキシブル基板には、前記接着補強部の位置に対応する貫通部が形成されているので、前記ヘッドケースに前記接着補強部を設けても、このヘッドケースと前記ヘッドユニットとの間に配置される前記フレキシブル基板が邪魔になることがない。
【発明を実施するための最良の形態】
【００１７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は本発明の液体噴射装置の実施の形態にかかるインクジェット式記録装置（以下「記録装置」という）１００を示す概略斜視図である。
図１に示すように、記録装置１００は、キャリッジ１０１を有し、このキャリッジ１０１はキャリッジモータ１０２により駆動されるタイミングベルト１０３を介し、ガイド部材１０４に案内されてプラテン１０５の軸方向に往復移動されるように構成されている。
【００１９】
図１のキャリッジ１０１の記録用紙２００に対向する側には、後述する液体噴射ヘッドである例えば、インクジェット式記録ヘッド（以下「記録ヘッド」という）３００が搭載され、その上部には、記録ヘッド３００に液体である例えば、インクを供給するブラックインクカートリッジ１０６及びカラー用インクカートリッジ１０７が着脱可能に装填されている。
そして、図１の記録用紙２００は、印字等領域Ｐに配置されて、記録ヘッド３００によってインクが吐出され、印字等される構成となっている。
【００２０】
また、図１に示すように、記録用紙２００が配置されない非印字等領域である例えば、ホームポジションＨには、キャップ部材や吸引手段等を有するクリーニング手段である例えば、キャッピング手段１２０、吸引ポンプ１３０、そしてワイピング部材１４０が配置されている。
【００２１】
図２は、記録ヘッド３００の要部を示す概略斜視図である。図２に示すように、記録ヘッド３００は、ケースヘッド３１０やカバーケース３１１を有している。また、ケースヘッド３１０の図において底部にはカバーケース３４０が配置され、このカバーケース３４０内には、ヘッドユニット３２０が収容されている。
図３は、図２の記録ヘッド３００の概略分解斜視図である。図３に示すように、ケースヘッド３１０には、図１のブラックインクカートリッジ１０６やカラー用インクカートリッジ１０７からインクを導く針３１２やインクを濾すフィルタ３１３を有している。
また、ケースヘッド３１０は、後述するフレキシブル基板３３０を接続するためのケースヘッド側基板３１４、そして、ケースヘッド側基板３１４を覆うためのカバーケース３１１等を有している。
【００２２】
また、ケースヘッド３１０の下方には、ヘッドユニット３２０が配置される。ヘッドユニット３２０は、最も下に、インクを吐出するためのノズルが形成されているノズル形成部である例えば、ノズルプレート３２４を有している。
ノズルプレート３２４の上には、ノズルプレート３２４にインク等を供給するための供給プレート３２３やリザーバプレート３２２が配置されている。
リザーバプレート３２２の上には、電圧が印加されるとたわみ振動をする圧電体を有するアクチュエータ部である例えば、アクチュエータ３２１が配置されている。
そして、これらノズルプレート３２４、供給プレート３２３、リザーバプレート３２２及びアクチュエータ３２１は、接着され一体化され、ヘッドユニット３２０を構成している。
すなわち、電圧がアクチュエータ３２１に印加されると圧電体がたわみ振動し、その振動によってノズルプレート３２４のノズルからインクが吐出される構成となっている。
【００２３】
また、図３に示すように、ヘッドユニット３２０のアクチュエータ３２１の上で、ケースヘッド３１０との間には、アクチュエータ３２１に接続され、アクチュエータ３２１に電力を供給するフレキシブル基板３３０が配置されている。
フレキシブル基板３３０はケースヘッド３１０に配置されているケースヘッド側基板３１４と接続され、ケースヘッド側基板３１４から電力の供給を受ける構成となっている。
そして、一体化されたヘッドユニット３２０は、電力の供給をうけるフレキシブル基板３３０を挟んでケースヘッド３１０の底部に接着される構成となっている。
このように、ケースヘッド３１０とヘッドユニット３２０がフレキシブル基板３３０を挟んで接着されることにより、ケースヘッド３１０側よりヘッドユニット３２０側へインクが円滑に供給される構成となる。
【００２４】
図４及び図５は、図３のケースヘッド３１０の底面、すなわち、ヘッドユニット３２０と接着される接着面とフレキシブル基板３３０との関係等を示す概略底面図である。
図５で斜線で示す部分が、ケースヘッド３１０におけるヘッドユニット３２０とのユニット接着部である。すなわち、ヘッドユニット３２０を直接、接着するためのユニット接着部である。
具体的には、ユニット接着部は、図５で斜線で示すように、ケースヘッド３１０の外周部分である、右側面縁部３１５、下側面縁部３１６及び左側面縁部３１７となっている。
【００２５】
また、ユニット接着部は、図５に示すように、４つのケースヘッド側インク供給口３１８の周囲にも形成され、２つのインク供給口縁部３１９となっている。
さらに、これら２つのインク供給口縁部３１９の図において上方には、それぞれ略山形に突出するように接着補強部３１９ａが一体に形成されている。
２つの接着補強部３１９ａは、ケースヘッド３１０とヘッドユニット３２０との接着部分ある右側縁部３１５等のユニット接着部が形成されていない、図５のケースヘッド３１０の中央部に向かって配置されている。
このため、接着補強部３１９ａは、ユニット接着部の偏在を調整する機能を果たしている。
【００２６】
一方、図６は図３のフレキシブル基板３３０を示す概略図である。図６に示すように、フレキシブル基板３３０には、略Ｖ字形状の貫通部である例えば、補強用貫通口３３１が形成されている。
この補強用貫通口３３１は略山形となっているが、略山形の代わりに略Ｕ字状に形成してもよい。
また、この補強用貫通口３３１は、図６に示すように、フレキシブル基板３３０の配線が配置される部分を回避して、すなわち、配線が配置されていない部分に形成されている。図６で、斜線で示す部分は配線が配置されている配線部３３２である。
すなわち、２つの補強用貫通口３３１は、フレキシブル基板３３０の配線の非配置領域に形成されている。
【００２７】
このように構成されているフレキシブル基板３３０を有するヘッドユニット３２０をケースヘッド３１０と接続すると、フレキシブル基板３３０の補強用貫通口３３１は、２つのインク供給口縁部３１９及び接着補強部３１９ａ（図５参照）を貫通させる構成となっている。
すなわち、フレキシブル基板３３０の補強用貫通口３３１は、ケースヘッド３１０のインク供給口縁部３１９及び接着補強部３１９ａの位置に対応して形成されている。
このため、フレキシブル基板３３０の補強用貫通口３３１内に配置されたケースヘッド３１０の接着補強部３１９ａは、インク供給口縁部３１９から、フレキシブル基板３３０の配線の非配線領域に向かって突出するように配置される。
【００２８】
ところで、このように構成される、図５のケースヘッド３１０の右測縁部３１５、下測縁部３１６、左測縁部３１７、インク供給口縁部３１９及び接着補強部３１９ａから成るユニット接着部に接着剤が配置され、ケースヘッド３１０はヘッドユニット３２０と直接、接着される構成となっている。
そして、このとき、フレキシブル基板３３０をケースヘッド３１０とヘッドユニット３２０との間に適切に配置されることになる。
【００２９】
このように記録ヘッド３００は構成されている。一方、図１のホームポジションＨには、図７に示すようなクリーニング手段である例えば、キャッピング手段１２０、吸引ポンプ１３０及びワイピング部材１４０等が配置されている。
図７は、図１のキャリッジ１０１がホームポジションＨに移動し、キャッピング手段１２０が記録ヘッド３００に当接した状態を示す概略図である。
図７に示すように、キャッピング手段１２０は、記録ヘッド３００のノズルプレート３２４に当接し、ノズルを覆うように配置され、ノズル内のインクのクリーニング動作を行う構成となっている。
【００３０】
また、記録ヘッド３００のノズルプレート３２４は、図１の印字領域ＰからホームポジションＨへ記録ヘッド３００がキャリッジ１０１と共に移動する際に、ワイピング部材１４０に当接し、このワイピング部材１４０によりノズルプレート３２４面が払拭され、クリーニングされる構成となっている。
キャッピング手段１２０は、図７に示すように、ノズルを覆うように配置され、上面が開放され、凹状に形成されているキャップホルダ１２１、キャップホルダ１２１内に収容されるキャップ部材１２２を有している。
また、キャッピング手段１２０は、スライダ１２４を有している。このスライダ１２４には、キャッピング手段１２０を記録ヘッド３００に対して進退（図７の上下方向の移動）させる回動アーム１２５が設けられている。
【００３１】
すなわち、この回動アーム１２５によってキャッピング手段１２０が移動し、図７に示すようにキャッピング手段１２０のキャップ部材１２２が、記録ヘッド３００のノズルプレート３２４に当接すると、キャッピング手段１２０がノズルを覆うように配置されることになる。
また、図７に示すように、キャッピング手段１２０には、大気開放口１２８と、ノズル内のインクを吸引するため吸引ポンプ１３０が接続されている。
このため、この大気開放口１２８を閉状態として、吸引ポンプ１３０でキャッピング手段１２０内の雰囲気を吸引すると、この雰囲気は負圧となりノズル内のインクが吸引ポンプ１３０によって排出される構成となっている。
【００３２】
以上のように、本実施の形態の記録装置１００及び記録ヘッド３００は構成されるが、以下、その動作等について説明する。
先ず、図１の印字等領域Ｐでインクを吐出し、記録用紙２００に対する印字等か終了すると、記録ヘッド３００はキャリッジ１０１により、ホームポジションＨへ移動させられる。
すると、図７に示すようにキャッピング手段１２０が記録ヘッド３００に向かって移動し、キャップ部材１２２が図３のノズルプレート３２４に当接し、ノズルプレート３２４とキャップ部材１２２とで、閉空間Ｓが形成される。
そして、図７の吸引ポンプ１３０が駆動して、閉空間Ｓを吸引する。このとき、図３のヘッドユニット３２０は、従来の図１１と同様に、ケースヘッド３１０から離間する方向に引っ張られ、応力が生じる。
しかし、本実施の形態のヘッドユニット３２０は従来のヘッドユニット１２と異なり、図５に示すように接着補強部３１９ａの面積分だけ多く、ケースヘッド３１０に接着されている。
【００３３】
また、接着補強部３１９ａは、図５に示すようにユニット接着部が設けられていないケースヘッド３２０の中央部に向かって突出するように配置されている。このため、図５の矢印ｈ分だけ長くなっている。
すると、図１１でも矢印ｈ分だけ長くなるので、図１１に示すようなヘッドユニット１２のたわみが本実施の形態のヘッドユニット３２０では、生じ難くなり変形が抑えられることになる。
すなわち、接着補強部３１９ａによりケースヘッド３１０とヘッドユニット３２０との接着位置の位置的偏在が解消されるので、従来例の図１１のように部分的に応力が強く働き難い構成となっている。これは、図５の矢印ｈで示す縦方向のみならず横方向も同様である。
したがって、図７に示すように、吸引ポンプ１３０で閉空間Ｓを吸引しても、記録ヘッド３００のヘッドユニット３２０の変形を有効に抑えることができる。
このため、図５のケースヘッド３１０のケースヘッド側インク供給口３１８とヘッドユニット３２０との剥がれ等を未然に防止することができる。
そして、ヘッドユニット３２０の吸引によるたわみ等の変形等による記録ヘッド３００のインクの吐出不良も未然に防止することができる。
【００３４】
また、フレキシブル基板３３０には、図６に示すように、補強用貫通口３３１が形成されているので、ケースヘッド３１０に接着補強部３１９ａを設けても、接着補強部３１９ａが、補強用貫通口３３１内に配置される。このため、フレキシブル基板３３０が存在しても、それに邪魔されることなく、接着補強部３１９ａをヘッドユニット３２０に接着させることができる。
また、フレキシブル基板３３０の補強用貫通口３３１はフレキシブル基板３３０の非配線領域に形成されているので、従来のフレキシブル基板３３０の配線部３３２の配置を妨げることがない。このため、特別なフレキシブル基板３３０を準備する必要がなく、従来のフレキシブル基板３３０に補強用貫通口３３１を形成するだけなので、製造コストを増加させずに本実施の形態の記録ヘッド３００等を製造することができる。
また、図６に示すように、補強用貫通口３３１を略山形とすることで、フレキシブル基板３３０の配線部３３２を避けつつ、補強用貫通口３３１を最も大きく形成させることができるので、図７の吸引ポンプ１３０による吸引によるヘッドユニット３２０のたわみ等の変形をより効果的に抑えることができる。
【００３５】
本発明は、上述の実施の形態に限定されない。さらに、上述の各実施の形態は、相互に組み合わせて構成するようにしてもよい。また、本発明は、インクジェット式記録装置に限らず、プリンタ等の画像記録装置に用いられる記録ヘッド、液晶ディスプレイ等のカラーフィルタの製造に用いられる色材噴射ヘッド、有機ＥＬディスプレー、ＦＥＤ（面発光ディスプレイ）等の電極形成に用いられる電極材噴射ヘッド、バイオチップ製造に用いられる生体有機物噴射ヘッド等の液体を吐出する液体噴射ヘッドを用いた液体噴射装置、精密ピペットとしての試料噴射装置等にも適用できる。
【図面の簡単な説明】
【００３６】
【図１】本発明の液体噴射装置の実施の形態にかかるインクジェット式記録装置を示す概略斜視図である。
【図２】記録ヘッドの要部を示す概略斜視図である。
【図３】図２の記録ヘッドの概略分解斜視図である。
【図４】図３のケースヘッドの底面、すなわち、ヘッドユニットと接着される接着面とフレキシブル基板との関係等を示す概略底面図である。
【図５】図３のケースヘッドの底面、すなわち、ヘッドユニットと接着される接着面とフレキシブル基板との関係等を示す他の概略底面図である。
【図６】図３のフレキシブル基板を示す概略図である。
【図７】図１のキャリッジがホームポジションに移動し、キャッピング手段が記録ヘッドに当接した状態を示す概略図である。
【図８】従来のインクジェット式記録ヘッドの要部を示す概略斜視図である。
【図９】フレキシブル基板、ヘッドユニット及びカバーヘッドを示す概略斜視図である。
【図１０】図９のヘッドユニットとフレキシブル基板の配置状態の概略平面図である。
【図１１】図１０のヘッドユニットに、クリーニング手段であるキャップ部を配置した状態における図１０のＡ−Ａ’線概略断面図である。
【符号の説明】
【００３７】
１００・・・インクジェット式記録装置、１０１・・・キャリッジ、１０２・・・キャリッジモータ、１０３・・・タイミングベルト、１０４・・・ガイド部材、１０５・・・プラテン、１０６・・・ブラックインクカートリッジ、１０７・・・カラー用インクカートリッジ、１２０・・・キャッピング手段、１２１・・・キャップホルダ、１２２・・・キャップ部材、１２４・・・スライダ、１２５・・・回動アーム、１２８・・・大気開放口、１３０・・・吸引ポンプ、１４０・・・ワイピング部材、２００・・・記録用紙、３００・・・インクジェット式記録ヘッド、３１０・・・ケースヘッド、３１１・・・カバーケース、３１２・・・針、３１３・・・フィルタ、３１４・・・ケースヘッド側基板、３１５・・・右測縁部、３１６・・・下測縁部、３１７・・・左測縁部、３１８・・・インク供給口、３１９・・・インク供給口縁部、３１９ａ・・・接着補強部、３２０・・・ヘッドユニット、３２１・・・アクチュエータ、３２２・・・リザーバプレート、３２３・・・供給プレート、３２４・・・ノズルプレート、３３０・・・フレキシブル基板、３３１・・・補強用貫通口、３３２・・・配線部。
【図１】
2005074840.tif 000003
【図２】
2005074840.tif 000004
【図３】
2005074840.tif 000005
【図４】
2005074840.tif 000006
【図５】
2005074840.tif 000007
【図６】
2005074840.tif 000008
【図７】
2005074840.tif 000009
【図８】
2005074840.tif 000010
【図９】
2005074840.tif 000011
【図１０】
2005074840.tif 000012
【図１１】
2005074840.tif 000013